【事件の表示】
　特願２００２−　　１５０４「めっき槽への浴機器の設置方法及びその装置」拒絶査定不服審判事件〔平成１５年　７月１８日出願公開、特開２００３−２０１５５０〕について、次のとおり審決する。
【結　論】
　本件審判の請求は、成り立たない。
【理　由】
Ｉ．手続の経緯の概要、及び本願発明 
　本願は平成１４年１月８日の出願であって、その請求項１〜６に係る発明は、平成１７年８月１１日付け手続補正書で補正された明細書の特許請求の範囲の請求項１〜６に記載された事項により特定されるものと認められるところ、その請求項１に係る発明（以下、「本願発明１」という）は、次のとおりである。
 「帯状の被めっき材をめっき槽中で処理するための浴機器を、移動自在とされためっき槽上に設置するめっき槽への浴機器の設置方法において、前記帯状の被めっき材の供給ライン芯に対して位置関係が固定されている固定部に配置した位置決め手段により、前記供給ライン芯を基準に前記浴機器の位置決めを行うことを特徴とするめっき槽への浴機器の設置方法。」 
 　　 
 II．引用例の記載事実 
 　これに対して、原査定の拒絶の理由に引用され、本願出願前に頒布された刊行物である次の引用例には、以下の記載がある。 
 （１）引用例１（特開平１−２１２７４３号公報） 
 (1-1)「(2)めっき位置と他の位置とを移動可能なめっき浴、浴中、浴上機器およびめっき後の合金化を行う合金化炉設備を有する溶融めっきラインにおいて前記浴中、浴上機器を吊り上げるに際し、 
 　前記合金化炉設備の一部を前記めっきライン外へ移動し、次いで、鋼帯に接触せずにめっき位置の直上へ移動可能なクレーン装置をめっき位置の直上へ移動し、該クレーン装置により前記浴中、浴上機器の吊り上げ、吊り降ろしを行うことを特徴とする浴中、浴上機器の吊り上げ方法。」（特許請求の範囲(2)） 
 (1-2)「本発明は、連続溶融金属めっきラインにおけるめっき浴の交換時等に、浴中、浴上機器を退避させるための浴中、浴上機器吊り上げ方法および装置に関する。
＜先行技術とその問題点＞
連続溶融めっきは、溶融状態のめっき金属の浴に連続的に走行する鋼帯を所定時間浸漬し、次いでめっき浴から引き上げた鋼帯の表面にガスワイピングを施して所定のめっき目付量に調整することにより鋼帯の表面に所望のめっきを施すめっき法であり、」（第２頁右上欄４〜１５行） 
 (1-3)「めっき成分の異なる溶融亜鉛めっきを、同一めっきラインにおいて行う場合には、予め浴組成の異なる複数のめっき浴を用意し、それらを適宜交換して使用する必要がある。」（第２頁右下欄１１〜１５行） 
 (1-4)「浴中、浴上機器の着脱作業は容易な作業ではないため、これを簡単にするために、浴中、浴上機器を１つのユニットとして吊り上げる方法が考えられる。その方法は、例えば・・・クレーンにて浴中、浴上機器を吊り上げ、次いで、めっきが終了しためっき浴をめっき位置からライン外へ移動し、新たにめっきを行うめっき浴をめっき位置へ移動し、再び浴中、浴上機器を降ろして新たなめっき浴にセットするというものである。」（第３頁左上欄７行〜右上欄１行） 
 (1-5)「めっき浴９ａには、シンクロール８１、サポートロール・・８２等で構成される浴中機器およびワイピング装置８３、浴上サポートロール・・等で構成される浴上機器（以下、これらを浴中、浴上機器８という）がセットされている。この浴中、浴上機器８は１つのユニットとしてクレーンにより吊り下げ、運搬可能となっている。」（第４頁左下欄１０〜１８行） 
 (1-6)「第１図および第２図は、本発明の浴中、浴上機器吊り上げ装置１を設置する溶融めっきラインの構成例を模式的に示す概略図である。 
 　ピット２２の底部に敷設されたレール１１上を移動しうる台車１０ａ、１０ｂ、１０ｃ上に、それぞれ浴組成の異なるめっき浴９ａ、９ｂ、９ｃが搭載されている。」（第４頁右上欄５〜１１行） 
 (1-7)「第１図に示すように、めっき位置Ａにおいては、めっき浴９ａにより溶融金属（亜鉛）めっきが行われている。スナウト（図示せず）から出た焼鈍済の鋼帯２１は、シンクロール８１によりめっき浴９ａ中に浸漬され、サポートロール８２を経て、再びめっき浴から引き上げられ、ワイピング装置８３によりめっき目付量が調整される。」（７頁右上欄１０〜１７行）
(1-8)「その後、待機位置Ｂにて待機していためっき浴９ｂを空席となっているめっき位置Ａへ移動する。再び巻き上げ機６１を作動して浴中、浴上機器８を徐々に降下させ、めっき浴９ｂにセットする。」（第７頁右下欄１６行〜第８頁左上欄２行） 
 　　 
 III．対比・判断 
 (III-1)引用例１記載発明について 
 　引用例１の（摘記1-1）には、「めっき位置と他の位置とを移動可能なめっき浴、浴中、浴上機器およびめっき後の合金化を行う合金化炉設備を有する溶融めっきラインにおいて前記浴中、浴上機器を吊り上げるに際し、 
 　前記合金化炉設備の一部を前記めっきライン外へ移動し、次いで、鋼帯に接触せずにめっき位置の直上へ移動可能なクレーン装置をめっき位置の直上へ移動し、該クレーン装置により前記浴中、浴上機器の吊り上げ、吊り降ろしを行う浴中、浴上機器の吊り上げ方法。」が記載されている。
　また、(摘記1-4)には、「浴中、浴上機器を１つのユニットとして吊り上げる方法が考えられる。その方法は、例えば・・・クレーンにて浴中、浴上機器を吊り上げ、次いで、めっきが終了しためっき浴をめっき位置からライン外へ移動し、新たにめっきを行うめっき浴をめっき位置へ移動し、再び浴中、浴上機器を降ろして新たなめっき浴にセットする」と記載され、また、(摘記1-8)には、「再び巻き上げ機６１を作動して浴中、浴上機器８を徐々に降下させ、めっき浴９ｂにセットする。」と記載されている。よって、浴中、浴上機器の吊り降ろしを行うこととは、浴中、浴上機器をめっき浴にセットすることといえる。
　また、(摘記1-5)には、「めっき浴９ａには、シンクロール８１、サポートロール・・８２等で構成される浴中機器およびワイピング装置８３、浴上サポートロール・・等で構成される浴上機器（以下、これらを浴中、浴上機器８という）がセットされている。この浴中、浴上機器８は１つのユニットとしてクレーンにより吊り下げ、運搬可能となっている。」と記載されており、浴中、浴上機器は、浴中機器および浴上機器を１つのユニットとしたもの、であるといえる。
　また、(摘記1-2)には、「本発明は、連続溶融金属めっきラインにおけるめっき浴の交換時等に、浴中、浴上機器を退避させるための浴中、浴上機器吊り上げ方法および装置に関する。」と記載されており、浴中、浴上機器吊り上げ方法は、連続溶融金属めっきラインにおけるめっき浴の交換時等に、行われる方法といえる。
　
　したがって、摘記事項（摘記1-1）〜（摘記1-8）を総合すると、引用例１には、「連続溶融金属めっきラインにおけるめっき浴の交換時等に行われる、めっき位置と他の位置とを移動可能なめっき浴、浴中、浴上機器およびめっき後の合金化を行う合金化炉設備を有する溶融めっきラインにおいて前記浴中、浴上機器を吊り上げるに際し、
　前記浴中、浴上機器は、浴中機器および浴上機器を１つのユニットとしたものであり
　前記合金化炉設備の一部を前記めっきライン外へ移動し、次いで、鋼帯に接触せずにめっき位置の直上へ移動可能なクレーン装置をめっき位置の直上へ移動し、該クレーン装置により前記浴中、浴上機器の吊り上げ、吊り降ろしを行って、浴中、浴上機器をめっき浴にセットする方法。」の発明（以下、「引用例１記載発明」という。）が記載されている。
  
（III-2)本願発明１と引用例１記載発明との対比
　本願発明１と引用例１記載発明とを対比する。
　本願発明１の「移動自在とされためっき槽」、「帯状の被めっき材」、「帯状の被めっき材をめっき槽中で処理するための浴機器」は、それぞれ、引用例１記載発明の「移動可能なめっき浴」の槽、「鋼帯」、「（１つのユニットとした）浴中、浴上機器」に相当するといえる。また、本願発明１の「めっき槽への浴機器の設置方法。」は、引用例１記載発明の「浴中、浴上機器をめっき浴にセットする方法。」に対応している。
　してみれば、本願発明１は、引用例１記載発明と、「帯状の被めっき材をめっき槽中で処理するための浴機器を、移動自在とされためっき槽上に設置するめっき槽への浴機器の設置方法。」
 の点で一致し、そして、 
 （イ）本願発明１では、「帯状の被めっき材の供給ライン芯に対して位置関係が固定されている固定部に配置した位置決め手段により、前記供給ライン芯を基準に前記浴機器の位置決めを行う」のに対して、引用例１記載発明にはそのような位置決め手段についての記載が見当たらない点で相違している。 
　 
　そこで、この相違点（イ）について、以下、検討する。 
 相違点（イ）について 
　引用例１記載発明は、クレーン装置により前記浴中、浴上機器の吊り上げ、吊り降ろしを行って、浴中、浴上機器をめっき浴にセットする方法である。そして、そのような浴中、浴上機器のセットの際に、浴中、浴上機器と、めっき浴を入れためっき槽とを適正な位置関係とするために両者間の位置決めをすること、および、そのための位置決め手段を設けることは、当業者が容易に想到できることといえる。 
　そこで、この位置決め手段について検討する。引用例１記載発明は、連続溶融金属めっきラインに適用するものであるところ、連続溶融金属めっきについては、引用例１の、(摘記1-2)に、「連続溶融めっきは、溶融状態のめっき金属の浴に連続的に走行する鋼帯を所定時間浸漬し、次いでめっき浴から引き上げた」と記載され、また、(摘記1-7)には、「溶融金属（亜鉛）めっきが行われている。スナウト（図示せず）から出た焼鈍済の鋼帯２１は、シンクロール８１によりめっき浴９ａ中に浸漬され、サポートロール８２を経て、再びめっき浴から引き上げられ、」と記載されている。よって、引用例１においては、シンクロール、サポートロール等の各種ロールを具備したライン上を連続的に走行する鋼帯に対して、連続溶融金属めっきが行われるといえる。
　一方、鋼帯などの帯状物の連続処理において、帯状物の位置と、ラインセンター、ライン搬送方向、ライン中心線、ロールとの直角度等とを適正化させることは周知の事項といえる（要すれば、特開平７−１２４６２５号公報（特に段落【0003】）、特開平７−１０３７０５号公報（特に段落【0002】〜【0004】）、特開平４−３００００９号公報（特に段落【0004】）、および、特開平８−１６６２０２号公報（特に段落【0002】、【0014】〜【0015】）を参照。）。
　してみれば、引用例１記載発明において、浴中、浴上機器の位置決めを
行うに際して、鋼帯の供給ライン芯、すなわち供給および排出ラインの軸線（本願明細書段落【0020】参照）を基準にして位置決めをすること、およびそのための位置決め手段を備えることは、当業者が容易に想到できることといえる。
 　上記位置決め手段についてさらに検討すると、引用例１には、めっき浴の交換について、(摘記 1-3)には、「予め浴組成の異なる複数のめっき浴を用意し、それらを適宜交換して使用する」と記載され、また、（摘記1-6)には、「ピット２２の底部に敷設されたレール１１上を移動しうる台車１０ａ、１０ｂ、１０ｃ上に、それぞれ浴組成の異なるめっき浴９ａ、９ｂ、９ｃが搭載されている。」と記載され、また、(摘記 1-8)には、「その後、待機位置Ｂにて待機していためっき浴９ｂを空席となっているめっき位置Ａへ移動する。」と記載されている。よって、引用例１において、めっき浴は、めっき位置と他の位置とを移動する台車上に搭載され、位置が固定しないものといえる。その場合に、供給ラインと、浴中、浴上機器相互の位置決めを行うに際しては、供給ライン芯に対して位置関係が固定し安定した位置決め手段を用いることが精度上好ましいことは、当業者が容易に想到できることといえる。したがって、帯状の被めっき材の供給ライン芯に対して位置関係が固定されている固定部に配置した位置決め手段により、前記供給ライン芯を基準に前記浴機器の位置決めを行うことに格別の困難性があるとすることはできない。
　なお、請求人は、引用例１に記載のものでは、めっき槽を基準として位置決めが行われる旨主張しているが、引用例１にはそうした記載は見当たらず、また、供給ライン芯を基準とすることを排除した記載も見当たらない。なおかつ、上記のとおり、台車上のめっき槽より、供給ライン芯を直接に基準とする方が、位置決め精度上より好ましいことは、当業者が容易に想到できることである。
　以上のとおりであるから、上記相違点（イ）は、当業者にとって、格別に困難なことということはできない。 
 　そして、本願の明細書および図面の記載をみても、本願発明１の効果は、当業者が予期し得ないものと認めることはできない。 
 　　 
 IV．むすび 
 　以上のとおりであるから、本願発明１は、引用例１に記載された発明に基いて当業者が容易に発明をすることができた発明であるので、特許法第２９条第２項の規定により特許を受けることはできない。 
 　したがって、他の請求項に係る発明について検討するまでもなく、本願は拒絶すべきものである。 
 　よって、結論のとおり審決する。